(57)【特許請求の範囲】
【請求項１】
上面及び正面側の壁面が開口した箱体、前記箱体の上面部分に着脱可能に係止される吊り天板、前記吊り天板上に設けた操作台、前記箱体の正面側開口壁面に取り外し可能に取り付けられた正面板、及び前記箱体の上端に前記正面板と反対側に向かって開閉可能に取り付けられた蓋からなる収納箱と、
前記吊り天板上に載置され受付データを入力及び管理集計するパソコンと、
前記パソコンに接続され操作台上に載置されるテンキーと、
前記箱体内に収納され前記パソコンに接続され撮影データを前記受付データに送る撮影部と、
前記箱体内に収納され前記パソコンに接続される制御盤と、
前記箱体内に収納され前記パソコンに前記制御盤を介して接続される計数器と、
前記パソコンに接続され受付データに基づいて領収書、引換券及び領収書控えの３種からなり各々を切断可能に連結したシート、領収書及び領収書控えの２種からなり各々を切断可能に連結したシート又は集計シートを出力するプリンターと
からなることを特徴とする受付装置。
【請求項２】
前記撮影部を、
正面側壁面に挿通孔を穿設し、内部に前記挿通孔の下辺と同位置にガイド板と、上辺と同位置の左右内壁面にガイドを取り付けた箱と、
前記箱の内側上面に下方を向いて取り付けられ前記パソコンに接続されるカメラと、
前記箱内の挿通孔を穿設した壁面の対向面に取り付け前記制御盤に接続される前記カメラのシャッターと、
前記箱内の上部付近に下方を向いて取り付けられ前記制御盤に接続されるライトとからなる撮影部としたことを特徴とする請求項１に記載の受付装置。
【請求項３】
前記正面板を、
縦長で下部の前記箱の挿通孔と同じ位置に差込孔を穿設し、前記差込孔の左右辺及び下辺に沿って挿入ガイドを取り付けた第一壁面と、
前記第一壁面の左辺上部に蝶番を介して開閉可能に取り付けた横長の第二壁面と、
前記第一壁面の左辺下部に前記第二壁面と隙間を設けた状態で蝶番を介して開閉可能に取り付け下部に挿入孔を穿設した略正方形をした第三壁面とからなり、
前記第一壁面を前記箱体の開口壁面の略右半分を覆った状態で固定し、
前記第二壁面を前記箱体の開口壁面の略左半分の上部に位置させ開閉可能に取り付け、
前記第三壁面を前記箱体の開口壁面の略左半分の下部に鍵を介して開閉可能に取り付けた正面板としたことを特徴とする請求項１又は請求項２のいずれかに記載の受付装置。
【請求項４】
背面に磁石を備えた「故人」及び「喪主」マークと、
上部の続柄を記載し、下部にコード番号記入欄と関係記入欄を設け背面に磁石を備えた幼少期、青年期、中年期及び老年期の男女マークからなる関係表示部材、
又は
前記関係表示部材を鉄板プレートに磁着し複写させてシート化した関係表示シートを
前記箱体の蓋の裏面に貼り付けたことを特徴とする請求項１から請求項３のいずれか１項に記載の受付装置。
【請求項５】
前記受付データを、
故人との関係を示す「関係コード」と、
「電話番号／郵便番号」と、
前記「電話番号／郵便番号」から自動入力される「住所」「姓名」「名前」と、
前記計数器から自動入力される「ビルバリ入金」と、
前記計数器からの自動入力に代えて入力される「手入金」と、
引換券の発行の有無を表示する「引換券」と、
前記撮影部で撮影された「写真データ」からなる受付データとしたことを特徴とする請求項１から請求項４のいずれか１項に記載の受付装置。
【発明の詳細な説明】
【技術分野】
【０００１】
本発明は、冠婚葬祭等の比較的多人数が集まる場での受付装置及びそれを用いた受付方法に関する。
【背景技術】
【０００２】
従来、冠婚葬祭等の場においては、来場者や参列者に対する受付作業は参列者等が自筆で住所氏名等を記帳し、受付係に祝儀、香典等の金銭を袋に入れた状態で手渡し、受付係が金額を確認し控えをとり、参列者等にお返しの品を手渡していた。
【０００３】
しかしながら、大規模な葬儀の場合、故人との関係に従って受付場所を設けて受付作業を行うが、一人一人に要する時間が長いため受付場所によっては長蛇の列になることがあり、空いている他の受付場所に並ぼうとしても故人との関係による受付場所の制限があるため受付場所を変えることができなかった。
【０００４】
また、以上のような問題を解決するため、様々な受付装置が発明されているが、いずれも操作が複雑であるため、ある程度端末操作に慣れている人や、コンピューター操作に苦手意識のない者でないと効果的に使用することができず、不慣れな者が操作を行うと、操作ミス等により従来よりも時間がかかる可能性が高かった。
【０００５】
また、手書きの作業をキーボード入力や音声入力、接触式入力方式等で行う受付装置もあるが、高齢者が多く集まる場合はキーボード入力や接触式入力方式では時間がかかる可能性が大きく、更に、音声入力では音声を認識するために比較的大きな声でハッキリと発生する必要があるため、比較的静かに行う葬儀などの場面においては不向きであった。
【０００６】
更に、受付装置の一部が故障した場合、専用の部材を使用しているため修復に時間がかかり、限られた時間の中で行われている各式においては致命的であった。
【先行技術文献】
【特許文献】
【０００７】
【特許文献１】特開２００６−１４６７６８号公報
【発明の概要】
【発明が解決しようとする課題】
【０００８】
そこで、本発明は、誰でも簡単に操作することができ、故障時の復旧も速く、受付場所を限定することがない受付装置を提供する。
【課題を解決するための手段】
【０００９】
本発明は、上記の課題を解決するために、上面及び正面側の壁面が開口した箱体、前記箱体の上面部分に着脱可能に係止される吊り天板、前記吊り天板上に設けた操作台、前記箱体の正面側開口壁面に取り外し可能に取り付けられた正面板、及び前記箱体の上端に前記正面板と反対側に向かって開閉可能に取り付けられた蓋からなる収納箱と、前記吊り天板上に載置され受付データを入力及び管理集計するパソコンと、前記パソコンに接続され操作台上に載置されるテンキーと、前記箱体内に収納され前記パソコンに接続され撮影データを前記受付データに送る撮影部と、前記箱体内に収納され前記パソコンに接続される制御盤と、前記箱体内に収納され前記パソコンに前記制御盤を介して接続される計数器と、前記パソコンに接続され受付データに基づいて領収書、引換券及び領収書控えの３種からなり各々を切断可能に連結したシート、領収書及び領収書控えの２種からなり各々を切断可能に連結したシート又は集計シートを出力するプリンターとからなることを特徴とする受付装置の構成とした。
【００１０】
また、前記撮影部を、
正面側壁面に挿通孔を穿設し、内部に前記挿通孔の下辺と同位置にガイド板と、上辺と同位置の左右内壁面にガイドを取り付けた箱と、前記箱の内側上面に下方を向いて取り付けられ前記パソコンに接続されるカメラと、前記箱内の挿通孔を穿設した壁面の対向面に取り付け前記制御盤に接続される前記カメラのシャッターと、前記箱内の上部付近に下方を向いて取り付けられ前記制御盤に接続されるライトとからなる撮影部としたことを特徴とする受付装置の構成とした。
【００１１】
また前記正面板を、
縦長で下部の前記箱の挿通孔と同じ位置に差込孔を穿設し、前記差込孔の左右辺及び下辺に沿って挿入ガイドを取り付けた第一壁面と、前記第一壁面の左辺上部に蝶番を介して開閉可能に取り付けた横長の第二壁面と、前記第一壁面の左辺下部に前記第二壁面と隙間を設けた状態で蝶番を介して開閉可能に取り付け下部に挿入孔を穿設した略正方形をした第三壁面とからなり、前記第一壁面を前記箱体の開口壁面の略右半分を覆った状態で固定し、前記第二壁面を前記箱体の開口壁面の略左半分の上部に位置させ開閉可能に取り付け、前記第三壁面を前記箱体の開口壁面の略左半分の下部に鍵を介して開閉可能に取り付けた正面板としたことを特徴とする受付装置の構成とした。
【００１２】
また、背面に磁石を備えた「故人」及び「喪主」マークと、上部の続柄を記載し、下部にコード番号記入欄と関係記入欄を設け背面に磁石を備えた幼少期、青年期、中年期及び老年期の男女マークからなる関係表示部材、又は前記関係表示部材を鉄板プレートに磁着し複写させてシート化した関係表示シートを前記箱体の蓋の裏面に貼り付けたことを特徴とする受付装置の構成とした。
【００１３】
更に、前記受付データを、故人との関係を示す「関係コード」と、「電話番号／郵便番号」と、前記「電話番号／郵便番号」から自動入力される「住所」「姓名」「名前」と、前記計数器から自動入力される「ビルバリ入金」と、前記計数器からの自動入力に代えて入力される「手入金」と、引換券の発行の有無を表示する「引換券」と、前記撮影部で撮影された「写真データ」からなる受付データとしたことを特徴とする受付装置の構成とした。
【００１４】
加えて、事前に設定した関係コードを入力する「関係入力」行程、受け取った慶弔袋１５の氏名記載部を撮影部で撮影する「慶弔袋撮影」行程、登録されている電話番号から住所氏名を入力する「電話番号入力」行程、前記「電話番号入力」に代えて郵便番号データから住所の一部を入力する「郵便番号入力」行程、受け取った慶弔袋１５内の紙幣を計数器に読み込ませる「入金」行程、前記各工程を完了させる「受付終了」行程、前記「受付終了」と同時に領収書等を発行する「出力」行程からなる受付方法の構成とした。
【発明の効果】
【００１５】
本発明は上記のような構成であるため、誰でも簡単に操作することができる。
【００１６】
また、小型であるため移動が簡単で、且つ、設置も簡単である。
【００１７】
また、故障しても主要部分を容易に交換できるため復旧が速く、交換不可能部分については併設することで一方が故障しても他方で処理できるため、受付業務を滞らせることがなく安心して使用できる。
【００１８】
また、専用の関係図を使用することにより、参列者や来場者等は列の種類に縛られることなく空いている列を選ぶことができ、受付業務全体の短縮を図ることができる。
【００１９】
また、金員の入った袋の表面又は表面及び裏面を瞬時に撮影、保存、登録することができるため、貰い忘れを防ぐことができる。
【００２０】
また、電話帳データを使用することにより電話番号を入力するだけで氏名住所が表示され、電話帳登録していない者に対しては郵便番号データを使用することで住所を表示することができ、袋の表面に書かれた氏名を撮影した前記写真データとともに登録することで、文字入力をすることなく来場者データを作成することができる。
【００２１】
更に、受付時に領収書、引換券、領収書控えが発行され、領収書は祝儀や香典を確実に渡したという安心感を与えることができ、引換券は好きな時にお返し物を受け取ることができるため参列中や式の最中に手荷物を持ちたくない者にとっては大変便利で、且つ受付業務とお返し物等の引換業務を分けることで受付業務の短縮ができ、領収書控えは受け取った祝儀袋や香典袋に貼り付けることで依頼主に信用を与えることができる。
【００２２】
加えて、各受付装置で作成、集計したデータは、ホストコンピューターとＵＳＢ又はネット通信で転送することができるため、複数台の受付装置を使用した場合でも瞬時にデータをまとめることができ、更に受付者の一覧、お預かり金額合計、各札種毎の枚数等を集計しプリントすることができる。
【図面の簡単な説明】
【００２３】
【図１】本発明である受付装置の使用時の斜視図である。
【図２】本発明である受付装置の内部を示した斜視図である。
【図３】本発明である受付装置の背面側斜視図である。
【図４】本発明である受付装置の撮影部の断面図である。
【図５】本発明である受付装置の接続関係図である。
【図６】本発明である受付装置のプリンタから出力したシートを示した図である。
【図７】本発明である受付装置の操作画面を示した図である。
【図８】本発明である受付装置で使用するキャラクター素材を示した図である。
【図９】本発明である受付装置で使用するキャラクター素材で作成した関係図である。
【図１０】本発明である受付装置を使用したフローチャートである。
【発明を実施するための形態】
【００２４】
以下、添付の図面を参照し、本発明の実施の形態について詳細に説明する。
【実施例１】
【００２５】
図１は本発明である受付装置の使用時の斜視図、図２は受付装置の内部を示した斜視図、図３は受付装置の背面側斜視図である。
【００２６】
図１から図３に示すように、本発明である受付装置１は、上面及び正面側の壁面が開口した箱体２ａ、前記箱体２ａの上面部分に着脱可能に係止される吊り天板２ｃ、前記吊り天板２ｃ上に設けた操作台２ｄ、前記箱体２ａの正面側開口壁面に取り外し可能に取り付けられた正面板８、及び前記箱体２ａの上端に前記正面板８と反対側に向かって開閉可能に取り付けられた蓋２ｂからなる収納箱２と、前記吊り天板２ｃ上に載置され受付データを入力及び管理集計するパソコン３と、前記パソコン３に接続され操作台２ｄ上に載置されるテンキー６と、前記箱体２ａ内に収納され前記パソコン３に接続され撮影データを前記受付データに送る撮影部４と、前記箱体２ａ内に収納され前記パソコン３に接続される制御盤１２と、前記箱体２ａ内に収納され前記パソコン３に前記制御盤１２を介して接続される計数器５と、前記パソコン３に接続され受付データに基づいて領収書、引換券及び領収書控えの３種からなり各々を切断可能に連結したシート１４、領収書及び領収書控えの２種からなり各々を切断可能に連結したシート１４又は集計シートを出力するプリンター７とからなる。
【００２７】
前述の通り、前記収納箱２は、上面と正面側の壁面が開口した箱体２ａと、前記箱体２ａの上端のうち、前記開口している正面側壁面に対抗した壁面（以下、背面側壁面）の上端に蝶番２ｋを介して開閉可能に取り付けられた蓋２ｂからなる。
【００２８】
前記蓋２ｂを閉じた状態では前記箱体２ａの上面を覆っており、蓋２ｂを開いた状態では背面側壁面に折り返した状態となっている。また、前記蓋２ｃの上面は山なりに緩やかに湾曲しているため、蓋２ｃを開いた場合に蓋２ｂ全面と背面側壁面がすべて重なりあうわけではなく、図１から図３に示すように、蓋２ｂの下端に向かうに従って背面側壁面から離れるように傾斜する構造となっている。
【００２９】
これは、蓋２ｂの裏面が、来場者や参列者等側を向いており、蓋２ｂの裏面に後に説明する関係表示部材９又は関係表示シート１０の取り付けた際に来場者や参列者等に見やすくする効果がある。
【００３０】
図２に示すように、前記吊り天板２ｃは、平板状で両端が垂直上方に向かって起立し、更に起立した両端の端部が略コの字状に折り返して係止部２ｈを形成している。前記吊り天板２ｃの両端の係止部２ｈは、箱体２ａの正面及び背面以外の側面の上端に係止され、パソコン３の載置台となっている。
【００３１】
前記操作台２ｄは、平板状で両端が垂直下方に向かって起立部を形成した台であり、前記テンキー６を置くための台となっている。平板面の長さは前記吊り天板２ｃの天板部２ｇの長さより短く、従って図２に示すように、吊り天板２ｃの両側起立部分の間に嵌め込んだ状態で設置することができる。また、前記吊り天板２ｃの左右の起立部分の高さと操作台２ｄの起立部２ｉの高さは等しいことが望ましく、起立部２ｉの高さが吊り天板２ｃの左右起立部分の高さを超えてはならない。
【００３２】
また、前記箱体２ａ内には、中台２ｅが設置されており、前記中台２ｅは前記操作台２ｄと同じように両端が垂直下方に向かって起立部２ｊを形成した台である。但し、中台２ｅの長さは操作台２ｄよりも短く、大凡、操作台２ｄの半分程度の長さであるが、これは特に限定したものではなく、箱体２ａ内に配置できる長さであればよい。
【００３３】
前記中台２ｅ上には計数器５、５が載置され、中台２ｅにより形成された空間には来場者や参列者等から受け取り中身の紙幣を取り出した後の慶弔袋１５を保管する場所として使用される。尚、符号２ｆは箱体２ａの脚を示している。
【００３４】
前記正面板８は、箱体２ａの開口している正面側壁面に取り付ける板である。図１及び
図２に示すように、正面板８は、縦長で下部の前記撮影部４の箱４ａに設けた挿通孔４ｆと同じ位置に差込孔８ｄを穿設し、前記差込孔８ｄの左右辺及び下辺に沿って挿入ガイド８ｅを取り付けた第一壁面８ａと、前記第一壁面８ａの左辺上部に蝶番８ｉを介して開閉可能に取り付けた横長の第二壁面８ｂと、前記第一壁面８ａの左辺下部に前記第二壁面８ｂと隙間８ｆを設けた状態で蝶番８ｉを介して開閉可能に取り付け下部に挿入孔８ｈを穿設した略正方形をした第三壁面８ｃとからなる。
【００３５】
前記第一壁面８ａは前記箱体２ａの正面側開口壁面の略右半分を覆った状態で固定され、前記第二壁面８ｂは前記箱体２ａの正面側開口壁面の略左半分の上部に位置させ開閉可能に取り付けられ、前記第三壁面８ｃは前記箱体２ａの正面側開口壁面の略左半分の下部に鍵８ｇを介して開閉可能に取り付けられている。
【００３６】
前記正面板８のうち、第一壁面８ａは箱体２ａとしっかりと固定されており、第三壁面８ｃについても鍵８ｇを介して箱体２ａに取り付けられているため、通常、第一及び第三壁面８ａ、８ｃで覆われた箱体２ａの開口している正面側壁面を開けることはできない。但し、第二壁面８ｂについては、計数器５の紙幣詰まり等の簡単なメンテナンスを行うことができるように自由に開閉することができる。
【００３７】
前記第三壁面８ｃの挿入孔８ｈは、前記中台２ｅの位置に設けられているため、この挿入孔８ｈを使用して、紙幣取り出し済みの慶弔袋１５等を箱２内に収納することができる。
【００３８】
また、第一壁面８ａに設けた差込孔８ｄは、後に説明する撮影部４の挿通孔４ｆと同じ位置に穿設され、更に差込孔８ｄの下辺及び左右辺に沿ってコの字状に挿入ガイド８ｅが取り付けられているため、撮影部４で撮影する慶弔袋１５等をスムーズに抜き差しすることができる。
【００３９】
また、前記第二壁面８ｂと第三壁面８ｃの間には隙間８ｆが設けられているが、この隙間８ｆからは計数器５、５の紙幣ガイド５ａ、５ａが突出するようになっており、頂いた紙幣を計数器５に挿入しやすくしている。
【００４０】
図１から図３に示すように、プリンター７は箱２外に載置され、前記パソコン３に接続されている。パソコン３に入力した受付データを基にシート１４や集計シートをプリントアウトすることができる。また、プリンター７を箱２外に載置したことにより、プリンター７の故障時に容易に変わりのプリンターへ取り替えることができるようになっている。
【００４１】
図４は本発明である受付装置の撮影部の断面図である。図４に示すように、前記撮影部４は、正面側壁面に挿通孔４ｆを穿設し、内部に前記挿通孔４ｆの下辺と同位置にガイド板４ｇと、上辺と同位置の左右内壁面にガイド４ｈ、４ｈを取り付けた箱４ａと、前記箱４ａの内側上面に下方を向いて取り付けられ前記パソコン３に接続されるカメラ４ｃと、前記箱４ａ内の挿通孔４ｆを穿設した壁面の対向面に取り付け前記制御盤１２に接続される前記カメラ４ｃのシャッター４ｅと、前記箱４ａ内の上部付近に下方を向いて取り付けられ前記制御盤１２に接続されるライト４ｄとからなる。
【００４２】
図４では箱４ａの上面を開口させて蓋４ｂを別体とし、前記蓋４ｂの上面の内側にカメラ４ｃを取り付けたが、前記蓋４ａの正面側壁面のみを開口させた箱４ａとしてもよい。この場合、前記挿通孔４ｆを設ける壁面がなくなるが、ガイド板４ｇやガイド４ｈはそのまま設けられている。
【００４３】
前記シャッター４ｅは発光部と受光部を備えており、前記発光部から受光部にかけて光を発している。前記ガイド板４ｇとガイド４ｈ、４ｈの間に挿入された慶弔袋１５等の端部が発光部と受光部の間に挿通され、光が遮断されると同時にシャッターが切られ、前記カメラ４ｃで慶弔袋１５等の表面を撮影することができる。
【００４４】
尚、前記ガイド板４ｇに代えて箱４ａ内の左右壁面に箱４ａの高さに対して中央の高さの位置に２枚ずつガイド４ｈを設けて、同じくシャッター４ｅの位置もガイド４ｈと同位置にし、更に箱の上面及び底面にそれぞれカメラ４ｃとライト４ｄを取り付けて、慶弔袋１５等の表面及び背面を撮影可能としてもよい。
【００４５】
図５は本発明である受付装置の接続関係図である。図５に示すように、収納箱２にはパソコン３、撮影部４、計数器５、テンキー６及び制御盤１２が収納され、パソコン３の外部機器接続ポートが少ない場合は、ハブ１１を接続してポートを増やしている。
【００４６】
前記パソコン３には、まず直接テンキー６とハブ１１が接続されている。前記ハブ１１には撮影部４のカメラ４ｃ、制御盤１２及び収納箱２外部のプリンター７が接続され、前記制御盤１２には計数器５、５が接続されている。更に、前記制御盤１２には撮影部４のシャッター４ｄ及びライト４ｅが接続されている。尚、前記パソコン３、計数器５、５及びプリンター７はそれぞれ電源１０に接続されている。
【００４７】
図６は本発明である受付装置のプリンタから出力したシートを示した図である。図６に示すように、パソコン３の受付データを基に印刷されるシート１４は、受付をした来場者や参列者等に渡す領収書１４ａと、来場者や参列者等がお返し品と交換するための引換券１４ｂ及び頂いた慶弔袋１５等へ貼り付ける領収書控え１４ｃからなり、前記領収書１４ａ、引換券１４ｂ及び領収書控え１４ｃは容易に切り取ることができる状態で連結した一連のシートとなっている。
【００４８】
尚、前記引換券１４ｂについては、習慣等によりお返しをしない場合は、印刷させずに領収書１４ａと領収書控え１４ｂのみからなるシート１４としてもよい。
【００４９】
受付終了時に前記シート１４をプリントし、領収書１４ａ及び引換券１４ｂは受付をした来場者や参列者等に渡し、領収書控え１４ｃについては頂いた慶弔袋１５等にホッチキス止め等の方法により貼り付けて保管する。
【００５０】
以上のようにすることで、慶弔袋１５等を持参した来場者や参列者にとっては慶弔袋１５等を渡したという安心感ができ、更に式典等の最中にお返し品を持ち歩く必要がなく、帰り際等の好きな時に引換券１４ｂとお返し品を交換することができる。更に、受付時にはお返し品の受け渡しを省くことができるため、受付時間の短縮を図ることができる。
【００５１】
一方、各慶弔袋１５等に領収書控え１４ｃが貼り付けてあることにより、受付者にとっては式典の主催者等の依頼主側から信頼を得ることができ、依頼主にとっては安心して受付業務を他者に任せることができる。
【００５２】
図７は本発明である受付装置の操作画面を示した図である。図７に示すように、受付画面１６は、故人との関係を示す「関係コード入力欄」１６ａと、「電話番号／郵便番号入力欄」１６ｂと、前記「電話番号／郵便番号入力欄」１６ｂに入力後に住所等を自動入力するための「検索ボタン」１６ｃと、「住所入力欄」１６ｆと、「地番入力欄」１６ｇと、「姓名入力欄」１６ｈ「名前入力欄」１６ｉと、前記計数器５から自動入力される「ビルバリ入金表示欄」１６ｊと、前記計数器５からの自動入力に代えて金額を入力するための「手入金入力欄」１６ｋと、引換券の発行の有無を表示する「引換券表示欄」１６ｌと、「画面切換ボタン」１６ｍと、前記撮影部４で撮影された写真を表示する「写真データ表示欄」１６ｎからなる。
【００５３】
また、前記受付画面１６内の下部には各ファンクションキーに設定されているボタンが表示されている。図７の場合、Ｆ１ボタンを「香典ボタン」１７、Ｆ２ボタンを「通夜ボタン」１７ａ、Ｆ３ボタンを「見舞ボタン」１７ｂ、Ｆ４ボタンを「生花ボタン」１７ｃ、Ｆ５ボタンを「供花ボタン」１７ｄ、Ｆ６ボタンを「その他ボタン」１７ｅ、Ｆ８ボタンを「領収書受付ボタン」１７ｆ、Ｆ９ボタンを「検索ボタン」１７ｇ、Ｆ１０ボタンを「記帳ボタン」１７ｈ、Ｆ１２ボタンを「終了ボタン」１７ｉとした。尚、Ｆ７、Ｆ１１についても設定し表示しても良い。
【００５４】
前記「関係コード入力欄」１６ａは、後に説明する関係表示部材９又は関係表示シート１０に記載のコードを入力する欄であり、この欄に入力された数字によって故人との関係がわかる。
【００５５】
前記「関係コード入力欄」１６ａの右方には「電話番号／郵便番号入力欄」１６ｂがあり、この欄には電話番号又は郵便番号を入力することができ、入力後に隣の「検索ボタン」１６ｃをクリックすると一段下から配置されている「郵便番号入力欄」１６ｄ、「電話番号入力欄」１６ｅ、「住所記入欄」１６ｆ、「地番記入欄」１６ｇ、「姓名記入欄」１６ｈ、「名前記入欄」１６ｉが自動入力される。但し、これは電話番号登録をしている者の場合であり、電話番号登録をしていない者の場合は、表示されない。
【００５６】
前記「電話番号／郵便番号入力欄」１６ｂに郵便番号を入力し、「検索ボタン」１６ｃをクリックした場合、「郵便番号入力欄」１６ｄ、「住所記入欄」１６ｆのみが自動入力され、「地番記入欄」１６ｇ、「姓名記入欄」１６ｈ、「名前記入欄」１６ｉについては手入力となる。
【００５７】
以上のように「電話番号／郵便番号入力欄」１６ｂに電話番号を入力した場合であっても、郵便番号を入力した場合であっても来場者の情報の多くを自動入力することができるため受付時間の短縮を図ることができる。
【００５８】
前記「ビルバリ入金表示欄」１６ｊは、前記計数器５に紙幣を読み込ませると額が自動で入力される欄である。一方、「手入金入力欄」１６ｋは、入金額の自動入力に代えて手入力するための欄である。
【００５９】
受付画面１６の下方に設けた「引換券表示欄」１６ｌは、引換券の有無を表示する欄である。
【００６０】
前記「画面切換ボタン」１６ｍは、受付画面から他の画面へ切り替えるためのボタンである。また、受付画面１６の右方に設けた「写真データ表示欄」１６ｎは、前記撮影部４で撮影した慶弔袋等の画像を表示するための欄である。
【００６１】
「写真データ表示欄」１６ｎに表示された慶弔袋等に記載の名前と前記「姓名入力欄」１６ｈ又は「名前入力欄」１６ｉに表示された姓名、名前が一致しているか確認することができる。
【００６２】
尚、「写真データ表示欄」１６ｎの写真データは各受付データとともに保存されるため、後に受付データを参照した場合にも写真データは同時に表示される。
【００６３】
各ファンクションキーに設定されている「香典ボタン」１７、「通夜ボタン」１７ａ、「見舞ボタン」１７ｂ、「生花ボタン」１７ｃ、「供花ボタン」１７ｄ、「その他ボタン」１７ｅ、「領収書受付ボタン」１７ｆ、「検索ボタン」１７ｇ、「記帳ボタン」１７ｈ、「終了ボタン」１７ｉは、特に通夜や葬儀会場で本発明の受付装置１を使用する場合に設定したものであり、他の式典で使用する場合や、習慣により設定を変えても構わない。
【００６４】
尚、前記「終了ボタン」１７ｉをクリックすることで受付データが保存されると同時に前記シート１４が発行される。
【００６５】
図８は本発明である受付装置で使用するキャラクター素材を示した図、図９は受付装置で使用するキャラクター素材で作成した関係図である。
【００６６】
図８に示すように、関係表示部材９には、まず亡くなった方を表示するための故人マーク９ａ、及び喪主を表示するための喪主マーク９ｂがある。これらは、略長方形状をしており背面に磁石を備えている。但し、形状については略長方形状でなくても構わない。
【００６７】
また、幼少期、青年期、中年期及び老年期の男女をキャラクター化した男女マーク９ｃと、前記男女マーク９ｃの上部に連設した続柄９ｄ表示部及び前記男女マーク９ｃの下部に連設した関係記入欄９ｅ並びに関係毎にコードを記入するコード記入欄９ｆからなる。
【００６８】
前記続柄９ｄには、長男、長女、次男、次女、三男、三女・・・、夫、妻、祖父、祖母、曾祖父、曾祖母等の家族、親族関係が示される。
【００６９】
前記関係記入欄９ｅには、「親族」、「友人・知人」、「勤務・取引先」等が記載され、更にそれぞれの関係に対するコードが前記コード記入欄９ｆに記載される。
【００７０】
例えば、葬儀に参列した者が、故人の次男と同僚であり、その関係において出席している場合、次男のマークのうち「勤務・取引先」に付与されたコードを受付け時に受付係に伝える。そしてコードを聞いた受付係が前記「関係コード入力欄」１６ａにコードを入力して受け付けを開始する。
【００７１】
このように、来場者や参列者等をコード化することにより、従来限定されていた受付場所を限定することがなく、来場者や参列者等は空いている受付場所で受け付けをすることができ、受付時間の短縮を図ることができる。
【００７２】
尚、関係については、「親族」、「友人・知人」、「勤務・取引先」に限定したものではなく、別の区別をしても構わない。
【００７３】
図９に示すように、前記関係表示部材９を予め鉄板等の磁着できる板に配置して、それを複写し、関係表示シート１０としてもよい。関係表示シート１０とした場合、受付装置１が複数台使用しても複写することにより容易にシートを増やすことができるため、前記関係表示部材９を各受付装置１でそのまま使用するよりも簡単であり、且つ、受付装置１間で統一感を出すことができる。
【００７４】
また、関係表示部材９をそれぞれの受付装置１に配置した場合、間違いが起こる可能性も否定できないため、関係表示シート１０化して使用することが好ましい。尚、関係表示シート１０として蓋２ｂに貼り付けた場合は、図３に示すようになる。
【００７５】
図１０は本発明である受付装置を使用したフローチャートである。本発明である受付装置１を使用した受付方法は、事前に設定した関係コードを入力する「関係入力」行程１８ａ、受け取った慶弔袋の氏名記載部を撮影部で撮影する「慶弔袋撮影」行程１８ｂ、登録されている電話番号から住所氏名を入力する「電話番号入力」行程１８ｃ、前記「電話番号入力」に代えて郵便番号データから住所の一部を入力する「郵便番号入力」行程１８ｄ、受け取った慶弔袋内の紙幣を計数器５に読み込ませる「入金」行程１８ｅ、前記各工程を完了させる「受付終了」行程１８ｆ、前記「受付終了」と同時に領収書等を発行する「出力」行程１８ｇからなる。
【００７６】
尚、符号１９、１９ａはデーターベースを示しており、データベース１９は電話番号登録をしたデータ、データベース１９ａは郵便番号登録されている住所データとなっている。
【００７７】
前記「出力」行程１８ｇまでが、式典等の会場ので受付作業を示しており、すべての受付が終了した後は、各受付装置１のデータをホストコンピュータに転送する「データ転送」行程１８ｈとなる。このデータ転送には、有線による転送であっても、無線による転送であっても構わない。また、インターネット回線を使用した転送等であってもよい。
【００７８】
すべてのデータがホストコンピュータに集められた後、ホストコンピュータにおいて全受付データをまとめ、「出力」行程１８ｉを行う。この「出力」行程１８ｉでは、受け取った金額の合計、各紙幣の枚数、受付人数、関係毎の人数等様々なデータに直して印刷するとともに、香典帳を作成し印刷することができる。
【００７９】
以上のように、現場での受付作業においては、できる限りテンキー６を使用した数字入力、慶弔袋等の写真取り込み及び紙幣の投入だけで受付データを作成し、来場者や参列者等に対しては領収書及び引換券を渡すのみとし、受付時間の短縮を図った。
【００８０】
また、すべての受付終了後も全受付データから様々な条件でまとめたデータを出力し、香典帳の作成まで行うことで、依頼者の負担を大幅に軽減させた。
【産業上の利用可能性】
【００８１】
本発明である受付装置は、受付時間の短縮、依頼者及び来場者や参列者等の負担を軽減することができるため、冠婚葬祭、不特定の来場者が集める式典等で使用することができ、多大な貢献をもたらす。
【符号の説明】
【００８２】
１      受付装置
２      収納箱
２ａ    箱体
２ｂ    蓋
２ｃ    吊り天板
２ｄ    操作台
２ｅ    中台
２ｆ    脚
２ｇ    天板部
２ｈ    係止部
２ｉ    起立部
２ｊ    起立部
２ｋ    蝶番
３      パソコン
４      撮影部
４ａ    箱
４ｂ    蓋
４ｃ    カメラ
４ｄ    ライト
４ｅ    シャッター
４ｆ    挿通孔
４ｇ    ガイド板
４ｈ    ガイド
５      計数器
５ａ    紙幣ガイド
６      テンキー
７      プリンタ
８      正面板
８ａ    第一壁面
８ｂ    第二壁面
８ｃ    第三壁面
８ｄ    差込孔
８ｅ    挿入ガイド
８ｆ    隙間
８ｇ    鍵
８ｈ    挿入孔
８ｉ    蝶番
９      関係表示部材
９ａ    故人マーク
９ｂ    喪主マーク
９ｃ    男女マーク
９ｄ    続柄
９ｅ    関係記入欄
９ｆ    コード記入欄
１０    関係表示シート
１１    ハブ
１２    制御盤
１３    電源
１４    シート
１４ａ  領収書
１４ｂ  引換券
１４ｃ  領収証控え
１５    慶弔袋
１６    受付画面
１６ａ  関係コード入力欄
１６ｂ  電話番号／郵便番号入力欄
１６ｃ  検索ボタン
１６ｄ  郵便番号入力欄
１６ｅ  電話番号入力欄
１６ｆ  住所入力欄
１６ｇ  地番入力欄
１６ｈ  姓名入力欄
１６ｉ  名前入力欄
１６ｊ  ビルバリ入金表示欄
１６ｋ  手入金入力欄
１６ｌ  引換券表示欄
１６ｍ  画面切換ボタン
１６ｎ  写真データ表示欄
１７    香典ボタン
１７ａ  通夜ボタン
１７ｂ  見舞ボタン
１７ｃ  生花ボタン
１７ｄ  供花ボタン
１７ｅ  その他ボタン
１７ｆ  領収書受付ボタン
１７ｇ  検索ボタン
１７ｈ  記帳ボタン
１７ｉ  終了ボタン
１８    受付開始行程
１８ａ  関係入力行程
１８ｂ  慶弔袋撮影行程
１８ｃ  電話番号入力行程
１８ｄ  郵便番号入力行程
１８ｅ  入金行程
１８ｆ  受付終了行程
１８ｇ  出力工程
１８ｈ  データ転送行程
１８ｉ  出力行程
１９    データベース
１９ａ  データーベース
【図１】
0005578978.tif 000002
【図２】
0005578978.tif 000003
【図３】
0005578978.tif 000004
【図４】
0005578978.tif 000005
【図５】
0005578978.tif 000006
【図６】
0005578978.tif 000007
【図７】
0005578978.tif 000008
【図８】
0005578978.tif 000009
【図９】
0005578978.tif 000010
【図１０】
0005578978.tif 000011